(57)【特許請求の範囲】
【請求項１】
内部に低温液化ガスが貯蔵されるタンクを複数のパイルにより高床式に支持し、前記パイル間に通風孔を構成し、前記タンクの周囲を取囲むように防液堤を配設すると共に、前記防液堤内を流れてきた水を溜めるように防液堤内にサブダイクを設け、前記防液提の側壁には防液提内に散水するように散水管を配設し、前記防液堤の底面にはタンク周囲を取囲むように第１の排水溝を設けると共に、該第１の排水溝からの水をサブダイクへ排水する第２の排水溝を設け、更に前記サブダイクに溜まった水を前記散水管に送るポンプを備え、
前記防液堤に雪が降る際には、前記散水管より防液堤内に散水して防液堤の雪を融かしつつ水と雪を第１の排水溝から第２の排水溝へ流し込み、タンク底面の通気性を確保するように構成したことを特徴とする防液堤融雪装置。
【請求項２】
第１の排水溝及び第２の排水溝の底面を排水の流れ方向上流側から下流側へ向けて下り勾配に傾斜させた請求項１に記載の防液堤融雪装置。
【請求項３】
防液堤の底面を側壁側から第１の排水溝へ向けて下り勾配に傾斜させた請求項１又は２に記載の防液堤融雪装置。
【請求項４】
サブダイクから散水管へ送られる水を加熱するヒータを備えた請求項１、２、３のいずれかに記載の防液堤融雪装置。
【請求項５】
サブダイクの上端周囲部、及び第２の排水溝の両側部に凸縁部を設けた請求項１、２，３，４のいずれかに記載の防液堤融雪装置。
【発明の詳細な説明】
【０００１】
【発明の属する技術分野】
本発明は、タンクが立設された防液堤内に散水して該防液堤内に降る雪を融かすようにした防液堤融雪装置に関するものである。
【０００２】
【従来の技術】
内部にＬＮＧ、ＬＰＧ等の低温液化ガスが貯留されるタンクは、例えば、図５、図６に示すごとく、側壁２ａと底面２ｂを有し上面が開口したコンクリート製の防液堤２内に配置され、タンク１の底面を風が流通し得るよう、地盤３に打込まれた複数のパイル４により高床式に支持された基礎５上に設置されている。
【０００３】
又、タンク１と防液堤２との間に形成される防液堤２の容積は、タンク１の容積よりも若干大きくなるよう設計されている。
【０００４】
更に、防液堤２内の一隅には、防液堤２の底面２ｂよりも下方になるよう、掘削、形成された、立方体の空間を有するサブダイク６が設けられており、タンク内容が少量漏洩した場合の内容物や雨水は防液堤２内にいったん溜まった後は、サブダイク６に貯留されるようになっている。
【０００５】
地震等によりタンク１自体あるいはタンク１に付設された配管等が損傷して低温液化ガスがタンク１外部に漏洩流出した場合でも、タンク１の周囲を取囲む防液堤２により低温液化ガスが防液堤２外部に流出することを防止するので、周辺環境の汚染等の二次災害を未然に防止することができる。
【０００６】
【発明が解決しようとする課題】
しかしながら、上述の防液堤２において、図７に示すごとくタンク１の周囲に雪７が積もると、タンク１底面下のパイル４間に構成されている通風孔８は塞がれてタンク１底面の通風性が悪化するため、低温液体ガスの冷熱により地盤３が凍結して霜等を生じ、結果としてタンク１を設置している地盤３の強度を低下させる虞れがあった。又、これを防ぐために除雪作業を人力で行っており、コストが懸かるという問題もあると共にタンク１屋根から雪や氷柱が落下して除雪作業中の作業員にぶつかる虞れもある。
【０００７】
本発明は上述の実情に鑑み、防液堤内に雪が積もらないようにして、積雪が原因で生じる地盤の強度の低下を防止し、又、除雪作業を人力で行わないようにして人件費を削減すると共に、タンク屋根から雪や氷柱が落下しても何等支障が生じないようにすることを目的としてなしたものである。
【０００８】
【課題を解決するための手段】
本発明の防液堤融雪装置は、内部に低温液化ガスが貯蔵されるタンクを複数のパイルにより高床式に支持し、前記パイル間に通風孔を構成し、前記タンクの周囲を取囲むように防液堤を配設すると共に、前記防液堤内を流れてきた水を溜めるように防液堤内にサブダイクを設け、前記防液提の側壁には防液提内に散水するように散水管を配設し、前記防液堤の底面にはタンク周囲を取囲むように第１の排水溝を設けると共に、該第１の排水溝からの水をサブダイクへ排水する第２の排水溝を設け、更に前記サブダイクに溜まった水を前記散水管に送るポンプを備え、
前記防液堤に雪が降る際には、前記散水管より防液堤内に散水して防液堤の雪を融かしつつ水と雪を第１の排水溝から第２の排水溝へ流し込み、タンク底面の通気性を確保するように構成したものである。
【０００９】
従って、本発明では、防液堤に雪が降る際には、サブダイクに溜めた水をポンプによって吸上げて散水管に送り、散水管から水を散水して防液堤内に降る雪を融かしており、融かされた雪は水となってサブダイクに溜められる。
【００１０】
このため、防液堤内に雪が積もることがないので、タンク底面の通風性は確保されて、地盤の凍結を防止し、結果として、地盤の強度が低下するのを防止すると共に、除雪作業を人力で行う必要がないため、人件費を削減することができ、タンク屋根から雪や氷柱が落下しても何等支障が生じない。
【００１１】
又、サブダイクから防液堤に散水される水は、ポンプにより循環して使用されるので、サブダイクに流れ込む水を十分に利用して、融雪に要するコストを削減することができる。
【００１２】
更に、第１の排水溝及び第２の排水溝により、防液堤内に散水された水や雪融け水を防液堤の底面からサブダイクへ迅速に排出することができる。
【００１３】
又、本発明においては、第１の排水溝及び第２の排水溝の底面を排水の流れ方向上流側から下流側へ向けて下り勾配に傾斜させると、防液堤内に散水された水や雪融け水を、第１の排水溝及び第２の排水溝からサブダイクへより一層迅速に排水することができる。
【００１４】
更に、防液堤の底面を側壁側から第１の排水溝へ向けて下り勾配に傾斜させると、防液堤内に散水された水や雪融け水を、防液堤の底面から第１の排水溝へより一層迅速に排水することができる。
【００１５】
更に又、サブダイクから散水管へ送られる水を加熱するヒータを備えると、散水に使用される水を加熱できるので、防液堤内に降る雪を気温に関係なく強制的に融かし、防液堤内に降る雪を迅速に排除することができる。
【００１６】
又、サブダイクの上端周囲部、及び第２の排水溝の両側部に凸縁部を設けると、防液堤内の水や雪がサブダイクや第２の排水溝に直接流入することを防止できる。
【００１７】
【発明の実施の形態】
以下、本発明の実施の形態を図示例と共に説明する。
【００１８】
図１〜図４は本発明の実施の形態例であって、タンク１が設置された防液堤２の基本的な構成は、図５〜図７に示すものと略同一の構成である。而して、図１〜図４中、図５〜図７と同一の符号を付した部分は同一物を表わしている。
【００１９】
防液堤２の側壁２ａの内側上端部近傍には、タンク１を取り囲むよう、防液堤２の側壁２ａに沿って散水管９が設けられており、散水管９には、散水管９の延在方向へ略等間隔に複数の散水孔１０が設けられている。
【００２０】
防液堤２の底面２ｂには、図１に示すごとく水平面から見てタンク１周囲を取囲むよう環状の第１の排水溝１１と、第１の排水溝１１に流れ込んだ水をサブダイク６側端部に設けた排出口１２を介してサブダイク６へ排水させる第２の排水溝１３が、防液堤２の底面２ｂ上面より一段低くなって設けられており、第１の排水溝１１及び第２の排水溝１３の底面１１ａ，１３ａは、図３、図４に示すごとく、水や融け残った雪がサブダイク６まで流れるよう、排水の流れ方向上流側から下流側へ向けて下り勾配に傾斜している。
【００２１】
又、サブダイク６の上端周縁部及び第２の排水溝１３の両側部には、防液堤２内の水が第１の排水溝１１を経ないで、直接サブダイク６や第２の排水溝１３に流入しないよう、第２の排水溝１３の延在方向に沿って凸縁部１５，１４が設けられている。
【００２２】
サブダイク６の内部には、図１、図２に示すごとくサブダイク６に溜められた水を送出するポンプ１７が設置されており、ポンプ１７は配管１６を介して散水管９の一部に接続されている。
【００２３】
又、配管１６の中途部には、配管１６内部を流れる水を加熱するようヒータ１８が取付けられている。
【００２４】
以下、本発明の実施の形態例の作用を説明する。
【００２５】
防液堤２に雪が降る際には、ポンプ１７及びヒータ１８を起動することによって、サブダイク６に予め溜めた水を吸上げると共に配管１６を介しヒータ１８へ送り、ヒータ１８により加熱した水を配管１６を経て散水管９に送り、散水管９に送られた水は、温水として散水管９に設けられた散水孔１０から防液堤２の底面２ｂに水を張るよう散水される。
【００２６】
防液堤２内に散水された温水は防液堤２内に降る雪を融かしつつ融け残った雪と共に第１の排水溝１１に流れ込み、流れ込んだ水は第１の排水溝１１から第２の排水溝１３へ流れて、排出口１２からサブダイク６に流れ込む。一方、第１の排水溝１１及び第２の排水溝１３に融け残っている雪は、後から流れ込んでくる温水により完全に融かされて水にされ、第１の排水溝１１に流れ込んだ水と同様に第１の排水溝１１及び第２の排水溝１３を流れて排出口１２からサブダイク６に流れ込む。
【００２７】
又、防液堤２内の水や雪は、サブダイク６の上端周囲部に設けられる凸縁部１４及び第２の排水溝１３の両側部に設けられる凸縁部１５によって、サブダイク６や第２の排水溝１３に直接流入することを防止されつつ、全て第１の排水溝１１に流れ込んだ後、第２の排水溝１３からサブダイク６へ流れ込む。
【００２８】
サブダイク６に流れ込んだ水は、再度、ポンプ１７によりサブダイク６から配管１６及びヒータ１８を経て散水管９に送られて防液堤２内に散水され、防液堤２の底面２ｂ、第１の排水溝１１、第２の排水溝１３及びサブダイク６を循環する。又、雪融け水によりサブダイク６に溜まる水の量が一定量を越えた場合には、ポンプ１７によりサブダイク６内の水を適宜防液堤２の外部へ排出する。
【００２９】
このため、防液堤２内に雪が積もることがないので、タンク１底面の通風性は確保されて、地盤３の凍結を防止し、結果として、地盤３の強度が低下するのを防止すると共に、除雪作業を人力で行う必要がないため、人件費を削減することができ、タンク屋根から雪や氷柱が落下しても何等支障が生じない。
【００３０】
又、サブダイク６から防液堤２に散水される水は、ポンプ１７により循環して使用されるので、サブダイク６に流れ込む水を十分に利用して、融雪に要するコストを削減することができる。
【００３１】
更に、防液堤２の底面２ｂには第１の排水溝１１及び第２の排水溝１３が形成されているため、防液堤２内に散水された水や雪融け水は第１の排水溝１１及び第２の排水溝１３を流れ、防液堤２の底面２ｂからサブダイク６へ迅速に排出させることができる。
【００３２】
更に又、防液堤２の底面２ｂに形成される第１の排水溝１１と第２の排水溝１３の底面１１ａ，１３ａは、排水の流れ方向上流側から下流側へ向けて下り勾配に傾斜しているため、防液堤２内に散水された水や雪融け水を、第１の排水溝１１及び第２の排水溝１３からサブダイク６へより一層迅速に排水することができる。
【００３３】
又、配管１６には、サブダイク６から散水管９へ送られる水を加熱するヒータ１８を備えているため、散水に使用される水を加熱でき、従って、防液堤２内に降る雪を気温に関係なく強制的且つ迅速に融かし、防液堤２内に降る雪を迅速に排除することができる。
【００３４】
なお、本発明の実施の形態は、上述の形態例のみに限定されるものではなく、散水された水や雪解け水を防液堤２の底面２ｂから第１の排水溝１１へより一層迅速に排水するために、防液堤２の底面２ｂ上面を防液堤２の側壁２ａ側から第１の排水溝１１方向に向って水が流れるよう下り勾配に傾斜させてもよいこと、又、散水の始動を雪の降り始めを検出して自動的に行うようにしてもよいこと、更に、防液堤２内に積もった雪に対し散水するようにしても実施できること、その他、本発明の要旨を逸脱しない範囲内において種々変更を加え得ることは勿論である。
【００３５】
【発明の効果】
本発明の防液堤融雪装置によれば、下記の如き、種々の優れた効果を奏し得る。
【００３６】
Ｉ）請求項１〜４においては、防液堤内に雪が積もることがないので、タンク底面の通風性は確保されて、地盤の凍結を防止し、結果として、地盤の強度が低下するのを防止すると共に、除雪作業を人力で行う必要がないため、人件費を削減することができ、タンク屋根から雪や氷柱が落下しても何等支障が生じない。又、サブダイクから防液堤に散水される水は、ポンプにより循環して使用されるので、サブダイクに流れ込む水を十分に利用して、融雪に要するコストを削減することができる。更に、第１の排水溝及び第２の排水溝により、防液堤内に散水された水や雪融け水を防液堤の底面からサブダイクへ迅速に排出することができる。
【００３７】
ＩＩ）請求項２の場合は、防液堤内に散水された水や雪融け水を、第１の排水溝及び第２の排水溝からサブダイクへより一層迅速に排水することができる。
【００３８】
ＩＩＩ）請求項３の場合は、防液堤内に散水された水や雪融け水を、防液堤の底面から第１の排水溝へより一層迅速に排水することができる。
【００３９】
ＩＶ）請求項４の場合は、散水に使用される水を加熱できるので、防液堤内に降る雪を気温に関係なく強制的に融かし、防液堤内に降る雪を迅速に排除することができる。
【００４０】
Ｖ）請求項５の場合は、防液堤内の水や雪がサブダイクや第２の排水溝に直接流入することを防止できる。
【図面の簡単な説明】
【図１】  本発明の防液堤融雪装置の実施の形態の一例を示す平面図である。
【図２】  図１のＩＩ−ＩＩ方向の矢視図である。
【図３】  図１のＩＩＩ−ＩＩＩ方向の矢視図である。
【図４】  図１のＩＶ−ＩＶ方向の矢視図である。
【図５】  従来の防液堤の一例を示す平面図である。
【図６】  図５のＶＩ−ＶＩ方向の矢視図である。
【図７】  図５に示す防液堤において雪が積もった状態を示すＶＩＩ−ＶＩＩ方向の矢視図である。
【符号の説明】
１          タンク
２          防液堤
２ａ        側壁
２ｂ        底面
４ パイル
６          サブダイク
７          雪
８ 通風孔
９          散水管
１０          散水孔
１１          排水溝
１１ａ        底面
１２          排出口
１３          排水溝
１３ａ        底面
１５          凸縁部
１７          ポンプ
１８          ヒータ
【図１】
0003932634.tif 000002
【図２】
0003932634.tif 000003
【図３】
0003932634.tif 000004
【図４】
0003932634.tif 000005
【図５】
0003932634.tif 000006
【図６】
0003932634.tif 000007
【図７】
0003932634.tif 000008